(57)【要約】【課題】簡単な構造で、閉じ込め防止という発明の課題を達成すること。【解決手段】錠本体にハンドル軸と共働するように内装された回動カムと、後端部が回動カムに突設した第１係合カムに係合し、一方、先端部が揺動片を介してラッチボルトの内端部に係合するように錠本体に内装されたスライド板と、回動カムに突設した第２係合カムに圧接する圧接手段とを備え、ラッチボルトを前記錠本体内に引っ込める際に、揺動片とラッチボルトが係合する力点に掛かる過負荷により該揺動片が変形或いは破損する前に、圧接手段を構成する復帰バネの一部が弾性変形してその復帰力が十分に作用しない一方、ハンドルの自重により、ラッチボルトは錠本体に引っ込んだままの状態となる建具用ドア錠。【選択図】図２
2015127493.tif 000002
【特許請求の範囲】
【請求項１】
錠本体にハンドルと一体的なハンドル軸と共働するように内装された回動カムと、その後端部がこの回動カムに突設した第１係合カムに係合し、一方、その先端部が揺動片を介してラッチボルトの内端部に係合するように前記錠本体に内装されたスライド板と、前記回動カムに突設した第２係合カムに圧接する圧接手段とを備え、前記ラッチボルトを前記錠本体内に引っ込める際に、前記揺動片と前記ラッチボルトが係合する力点に掛かる過負荷により該揺動片が変形或いは破損する前に、前記圧接手段を構成する復帰バネの一部が弾性変形してその復帰力が十分に作用しない一方、前記ハンドルの自重により、前記ラッチボルトは前記錠本体に引っ込んだままの状態となることを特徴とする建具用ドア錠。
【請求項２】
請求項１に於いて、圧接手段は復帰バネを有し、この復帰バネは、第２係合カムに直接又は間接的に係合する小径圧縮バネ部と、この小径圧縮バネ部に連続する竹の子状圧縮バネ部と、この竹の子状圧縮バネ部に連続する先端部側の大径圧縮バネ部とから成り、繰り返し圧縮による疲労により、前記竹の子状圧縮バネ部が前記大径圧縮バネ部内に押し込まれるように弾性変位することを特徴とする建具用ドア錠。
【請求項３】
請求項１に於いて、圧接手段は、バネ受け体と、このバネ受け体の前面に圧接する復帰バネとから成り、前記バネ受け体は、その背面が第２係合カムに圧接する一方、前面の略中央部に突起状バネ端支持部を有し、一方、前記復帰バネは、前記突起状バネ端支持部を受け入れる後端部側の小径圧縮バネ部と、この小径圧縮バネ部に連続する竹の子状圧縮バネ部と、この竹の子状圧縮バネ部に連続する先端部側の大径圧縮バネ部とから成ることを特徴とする建具用ドア錠。
【請求項４】
錠本体にハンドルと一体的なハンドル軸と共働するように内装された回動カムと、その後端部がこの回動カムに突設した第１係合カムに係合し、一方、その先端部が揺動片を介してラッチボルトの内端部に係合するように前記錠本体に内装されたスライド板と、前記回動カムに突設した第２係合カムに圧接する圧接手段とを備え、前記ラッチボルトを前記錠本体内に引っ込める際に、前記揺動片と前記ラッチボルトが係合する力点に掛かる過負荷により該揺動片が変形或いは破損する前に、前記圧接手段を構成する復帰バネの一部が破損してその復帰力が機能しない一方、前記ハンドルの自重により、前記ラッチボルトは前記錠本体に引っ込んだままの状態となることを特徴とする建具用ドア錠。
【請求項５】
請求項４に於いて、圧接手段は復帰バネを有し、この復帰バネは、第２係合カムに直接又は間接的に係合する小径圧縮バネ部と、この小径圧縮バネ部に連続する竹の子状圧縮バネ部と、この竹の子状圧縮バネ部に連続する先端部側の大径圧縮バネ部とから成り、繰り返し圧縮による疲労により、前記竹の子状圧縮バネ部と前記大径圧縮バネ部の連続する部分又は竹の子状圧縮バネ部と前記小径圧縮バネ部の連続する部分のいずれかが折れることを特徴とする建具用ドア錠。
【請求項６】
錠本体にハンドルと一体的なハンドル軸と共働するように内装された回動カムと、その後端部がこの回動カムに突設した第１係合カムに係合し、一方、その先端部が揺動片を介してラッチボルトの内端部に係合するように前記錠本体に内装されたスライド板と、前記回動カムに突設した第２係合カムに圧接する圧接手段と、前記圧接手段を構成する復帰バネの先端部を支持する仕切り板を備え、前記ラッチボルトを前記錠本体内に引っ込める際に、前記揺動片と前記ラッチボルトが係合する力点に掛かる過負荷により該揺動片が変形或いは破損する前に、前記仕切り板が変形又は破損するかのいずれかである一方、前記ハンドルの自重により、前記ラッチボルトは前記錠本体に引っ込んだままの状態となることを特徴とする建具用ドア錠。
【請求項７】
請求項６に於いて、仕切り板は、その前面でラッチボルトのラッチ軸に巻装されたラッチバネの後端部を支持する肉厚部分と、前記ラッチバネとラッチ軸方向に略一致しないと共に、復帰バネの先端部を後面で支持する肉薄部分とを有していることを特徴とする建具用ドア錠。
【請求項８】
請求項７に於いて、復帰バネの先端部を後面で支持する肉薄部分には、仕切り板がラッチボルトの先端部側に変形又は破損するかのいずれかになるように枠状スリットが形成されていることを特徴とする建具用ドア錠。
【請求項９】
錠本体にハンドルと一体的なハンドル軸と共働するように内装された回動カムと、その後端部がこの回動カムに突設した第１係合カムに係合し、一方、その先端部が揺動片を介してラッチボルトの内端部に係合するように前記錠本体に内装されたスライド板と、前記回動カムに突設した第２係合カムに圧接する圧接手段と、前記圧接手段を構成する復帰バネの先端部を支持する貫通状支持孔を有する仕切り板を備え、前記ラッチボルトを前記錠本体内に引っ込める際に、前記揺動片と前記ラッチボルトが係合する力点に掛かる過負荷により該揺動片が変形或いは破損する前に、前記復帰バネの先端部は前記貫通状支持孔のすり鉢形状周縁部分又は断面段差状周縁部分のいずれかに圧接しながら該貫通状支持孔を通過する一方、前記ハンドルの自重により、前記ラッチボルトは前記錠本体に引っ込んだままの状態となることを特徴とする建具用ドア錠。
【発明の詳細な説明】
【技術分野】
【０００１】
本発明は、室内のトイレ等に適合する建具用ドア錠に関する。
【背景技術】
【０００２】
特許文献１には、誤操作や悪戯、経年的な使用によって構成部品が変形、破損、磨耗して使用不能に陥る前に、構成部品の変化を感知し開扉可能な状態を堅持するドア錠を提供することを、発明の課題とし、該課題の解決手段として、「錠本体３に対向配置した側壁３ａ、３ｂと、該側壁の間に回動可能に設けられ、かつレバ−ハンドルと同動可能な回動カム６と、該回動カムに突設した第１係合カム９および第２係合カム１１と、前記回動カム６に連動して錠本体３の内側を摺動し、ラッチボルト３５を進退動可能にしたスライド板２８とを備え、前記第１係合カム９および第２係合カム１１の回動域を錠本体３の相対する側壁３ａ、３ｂに臨ませて配置したドア錠において、前記第１係合カムまたは第２係合カムの何れか一方の回動域に前記第２係合カム１１と係合可能な過負荷変形手段（係合片１７を有するブロック形態のバネ受け）１６を配置し、解錠ないし開扉時に前記回動カム６が正常な開扉角度を超えて異常に回動した際、前記第２係合カム１１を介し前記過負荷変形手段１７、１６を変形ないし破損可能に設けるとともに、前記過負荷変形手段１７、１６の変形に連係して変形可能なシフトロッカ−２５を復帰バネ１８の中に配設されたストッパーピン２３の前方に設け、該シフトロッカ−２５の上方に延在する上端部２６を、前記ラッチボルト３５のラッチ軸３６と前記スライド板２８とを連係する逆Ｕ字形状のシフタ−（揺動板）３３に係脱可能に配置する事項」が記載されている（符号は特許文献１のもの）。
【０００３】
この特許文献１に記載の建具用ドア錠は、復帰バネ１８の中に配設されたストッパーピン２３の後方に配設した過負荷変形手段１７，１６と、ストッパーピン２３の前方に配設したシフトロッカ−２５を用いて、異常時に、例えば特許文献１の図８で示すように逆Ｕ字形状のシフタ−（揺動板）３３に弾性変位するシフトロッカ−２５を係止させ、たとえ復帰バネ１８の復帰力が第２係合カム１１に作用しても、スライド板２８が施錠位置へとスライドするのを防止し、これにより、例えばトイレ等の室内に人が閉じ込められることを防止することができるという利点がある（段落００８４）。
【０００４】
しかしながら、特許文献１に記載のものは、発明の課題・効果を達成するため、復帰バネ１８の中に棒状体のストッパーピン２３を配設し、このストッパーピン２３の後方に過負荷変形手段（係合片１７を有するブロック形態のバネ受け）１６を配置する一方、ストッパーピン２３の前方に該ストッパーピンに押し込まれる揺動板係止用のシフトロッカ−２５を配設するので、構造が複雑である、各部材の加工が面倒である、組み合わせが面倒である等の問題点がある。
【先行技術文献】
【特許文献】
【０００５】
【特許文献１】特開２０１３−１４４８９６号公報
【発明の概要】
【発明が解決しようとする課題】
【０００６】
本願発明は、ハンドルの操作力により、（イ）圧縮・伸縮を繰返す圧接手段の復帰バネが、その疲労による変形や損傷すること、（ロ）又は前記復帰バネの先端部を支持する仕切り板の構造に着目し、人がトイレ等の室内に閉じ込められることを防止すること及び特許文献１の問題点を解消することができる建具用ドア錠を提供することを課題とする。
【課題を解決するための手段】
【０００７】
本発明の建具用ドア錠は、錠本体にハンドルと一体的なハンドル軸と共働するように内装された回動カムと、その後端部がこの回動カムに突設した第１係合カムに係合し、一方、その先端部が揺動片を介してラッチボルトの内端部に係合するように前記錠本体に内装されたスライド板と、前記回動カムに突設した第２係合カムに圧接する圧接手段とを備え、前記ラッチボルトを前記錠本体内に引っ込める際に、前記揺動片と前記ラッチボルトが係合する力点に掛かる過負荷により該揺動片が変形或いは破損する前に、前記圧接手段を構成する復帰バネの一部が弾性変形してその復帰力が十分に作用しない一方、前記ハンドルの自重により、前記ラッチボルトは前記錠本体に引っ込んだままの状態となることを特徴とする。
【０００８】
また本発明の建具用ドア錠は、錠本体にハンドルと一体的なハンドル軸と共働するように内装された回動カムと、その後端部がこの回動カムに突設した第１係合カムに係合し、一方、その先端部が揺動片を介してラッチボルトの内端部に係合するように前記錠本体に内装されたスライド板と、前記回動カムに突設した第２係合カムに圧接する圧接手段とを備え、前記ラッチボルトを前記錠本体内に引っ込める際に、前記揺動片と前記ラッチボルトが係合する力点に掛かる過負荷により該揺動片が変形或いは破損する前に、前記圧接手段を構成する復帰バネの一部が破損してその復帰力が機能しない一方、前記ハンドルの自重により、前記ラッチボルトは前記錠本体に引っ込んだままの状態となることを特徴とする。
【０００９】
また本発明の建具用ドア錠は、錠本体にハンドルと一体的なハンドル軸と共働するように内装された回動カムと、その後端部がこの回動カムに突設した第１係合カムに係合し、一方、その先端部が揺動片を介してラッチボルトの内端部に係合するように前記錠本体に内装されたスライド板と、前記回動カムに突設した第２係合カムに圧接する圧接手段と、前記圧接手段を構成する復帰バネの先端部を支持する仕切り板を備え、前記ラッチボルトを前記錠本体内に引っ込める際に、前記揺動片と前記ラッチボルトが係合する力点に掛かる過負荷により該揺動片が変形或いは破損する前に、前記仕切り板が変形又は破損するかのいずれかである一方、前記ハンドルの自重により、前記ラッチボルトは前記錠本体に引っ込んだままの状態となることを特徴とする（請求項６）。
【００１０】
上記に於いて、仕切り板は、その前面でラッチボルトのラッチ軸に巻装されたラッチバネの後端部を支持する肉厚部分と、前記ラッチバネとラッチ軸方向に略一致しないと共に、復帰バネの先端部を後面で支持する肉薄部分とを有していることを特徴とする。また前記復帰バネの先端部を後面で支持する肉薄部分には、仕切り板がラッチボルトの先端部側に変形又は破損するかのいずれかになるように枠状スリットが形成されていることが望ましい。
【００１１】
さらに本発明の建具用ドア錠は、錠本体にハンドルと一体的なハンドル軸と共働するように内装された回動カムと、その後端部がこの回動カムに突設した第１係合カムに係合し、一方、その先端部が揺動片を介してラッチボルトの内端部に係合するように前記錠本体に内装されたスライド板と、前記回動カムに突設した第２係合カムに圧接する圧接手段と、前記圧接手段を構成する復帰バネの先端部を支持する貫通状支持孔を有する仕切り板を備え、前記ラッチボルトを前記錠本体内に引っ込める際に、前記揺動片と前記ラッチボルトが係合する力点に掛かる過負荷により該揺動片が変形或いは破損する前に、前記復帰バネの先端部は前記貫通状支持孔のすり鉢形状周縁部分又は断面段差状周縁部分のいずれかに圧接しながら該貫通状支持孔を通過する一方、前記ハンドルの自重により、前記ラッチボルトは前記錠本体に引っ込んだままの状態となることを特徴とする（請求項９）。
【発明の効果】
【００１２】
（ａ）請求項１及び請求項４に記載の発明は、繰り返し圧縮による疲労により、圧接手段を構成する復帰バネの一部が弾性変形してその復帰力が十分に作用しない、又は復帰バネの一部が破損してその復帰力が機能しない一方、ハンドルの自重により、ラッチボルトは錠本体に引っ込んだままの状態となるので、特許文献１と同じ目的を達成することができる。また、圧接手段を構成する復帰バネの復帰力だけを問題にするので、特許文献１の如く、ストッパーピン、揺動板係止用のシフトロッカ−を錠本体の内部に設ける必要がない。したがって、小形のドア錠として多用されているチュ−ブラタイプの錠前を複雑化する必要が全くない。
（ｂ）請求項２に記載の発明は、繰り返し圧縮による疲労により、前記竹の子状圧縮バネ部が前記大径圧縮バネ部内に押し込まれるように弾性変位するので、前記（ａ）の効果を得ることができる。
（ｃ）請求項３に記載の発明は、圧接手段は、バネ受け体と、このバネ受け体の前面に圧接する復帰バネとから成り、前記バネ受け体は、その背面が第２係合カムに圧接する一方、前面の略中央部に突起状バネ端支持部を有し、一方、前記復帰バネは、前記突起状バネ端支持部を受け入れる後端部側の小径圧縮バネ部と、この小径圧縮バネ部に連続する竹の子状圧縮バネ部と、この竹の子状圧縮バネ部に連続する先端部側の大径圧縮バネ部とから成るので、繰り返し圧縮による疲労により、前記突起状バネ端支持部が前記小径圧縮バネ部と共働して前記竹の子状圧縮バネ部を逆方向に押し込むことができる。
（ｄ）請求項５に記載の発明は、異常な過負荷が掛かったとき、前記竹の子状圧縮バネ部と前記大径圧縮バネ部の連続する部分又は竹の子状圧縮バネ部と前記小径圧縮バネ部の連続する部分のいずれかが折れるので、前記（ａ）の効果を確実に得ることができる。
（ｅ）請求項６、請求項７及び請求項８に記載の発明は、復帰バネの形態が一端部から他端部に至るまで同径（普通一般の形状）であっても、仕切り壁が変形又は破損するので、第１実施形態と同様に、本発明と同一の課題を達成することができる。
（ｆ）請求項９に記載の発明は、復帰バネの形態が一端部から他端部に至るまで同径（普通一般の形状）であっても、復帰バネの先端部と貫通状支持孔のすり鉢形状周縁部分又は断面段差状周縁部分との間で、いわゆる摩擦抵抗が異常に大きくなれば、復帰バネの先端部が前記貫通状支持孔を通過するので、仕切り壁が変形又は破損しない場合であっても、第１実施形態と同様に、本発明と同一の課題を達成することができる。
【図面の簡単な説明】
【００１３】
図１乃至図８は本発明の第１実施形態を示す各説明図。図９及び図１０は圧接手段の第２実施形態を示す各説明図。図１１乃至図１３は本発明の第３実施形態を示す各説明図。図１４乃至図１６は本発明の第４実施形態を示す各説明図。図１７及び図１８は本発明の第５実施形態を示す各説明図。
【図１】本発明の第１実施形態の主要部の概略説明図（ラッチボルトが突出した状態）。
【図２】過負荷が復帰バネにかかり、復帰バネの復帰力が十分に作用しなくなり、このため、ハンドルの自重でラッチボルトが引っ込んだままの状態を示す概略説明図。
【図３】圧接手段の一例を示す分解斜視図。
【図４】施錠時における圧接手段の説明図。
【図５】解錠時における圧接手段の説明図（正常時）。
【図６】解錠時における圧接手段の説明図（異常時）。
【図７】ラッチボルトと、揺動板と、スライド板の斜視図。
【図８】揺動板が傾倒する際、その支点、力点、作用点を示す概念図。
【図９】圧接手段の第２実施形態を示す説明図（正常時）
【図１０】圧接手段を構成する復帰バネの一部が折れた状態の説明図（異常時）。
【図１１】本発明の第３実施形態の主要部の概略説明図（ラッチボルトが突出した状態）。
【図１２】図１１の１２−１２線概略断面説明図。
【図１３】仕切り壁が変形又は破損する概略説明図。
【図１４】本発明の第４実施形態の主要部の概略説明図（ラッチボルトが突出した状態）。
【図１５】図１４の１５−１５線概略断面説明図。
【図１６】仕切り壁が変形又は破損する概略説明図。
【図１７】本発明の第５実施形態の主要部の概略説明図（通常の使用状態）。
【図１８】図１７に於いて、復帰バネの先端部が仕切り板の貫通状支持孔を通過した概略説明図(異常の使用状態)。
【発明を実施するための最良の形態】
【００１４】
図１乃至図８は本発明の第１実施形態を示す各説明図である。図１及び図２は、扉１の錠取付孔に「チュ−ブラ錠」と称される錠前を収容したドア錠Ｘを示し、仮想線のレバーハンドル２は、扉１の内外の壁面にそれぞれ固定されたハンドル取付け座（省略）を介して、後述のハンドル軸８に一体的に設けられている。特に図示しないが、レバーハンドル２は、ハンドル軸８の端部が嵌挿するハンドル軸部と、該ハンドル軸部に直交する握り部２ａとから成り、施錠時、前記握り部２ａは略水平状態となる。また図１及び図２では、錠本体の後端部に組み込まれるサムターン軸と共働する作動カム、固着具、錠本体３と結合する錠カバー４の一部など、本発明の特定事項に関係のない部材は省略してある。さらに、特許文献１の第１実施形態との比較するため、極力、特許文献１の第１実施形態と同一又は同様の符号及び用語を用いる。
【００１５】
前記錠本体３は略中空円筒体の半割形状に成形され、その開口部を錠本体３と略同形の錠カバ−４で閉塞し、その接合部をビス止めしている。錠本体３の中間部或いは後端部寄りの部位（実施形態）にはカム穴を介して回動カム６が回動可能に収容されている。回動カム６は略円筒状に成形され、その中央に角穴７が設けられ、該角穴７にレバ−ハンドルと一体的なハンドル軸（角芯棒）８が挿入されている。
【００１６】
回動カム６の周面には、第１係合カム９と、第２係合カム１１と、中間係合カム１０がそれぞれ周方向に所要間隔を有して離間して突設され、前記第１係合カム９は錠本体３の上方側壁３ａに近接して配置され、スライド板２８の後端部と係合可能に配置されている。また前記中間係合カム１０は、施錠時、図示しないロックカムと係合可能に配置され、さらに、前記第２係合カム１１は第１係合カム９と反対側に、或いは略１３５度の角度差を有して突設され（実施形態）、錠本体３の下方側壁３ｂに近接して配置されている。そして、該第２係合カム１１は、前記下方側壁３ｂの内面に形成された収納溝に前後方向に配設された圧接手段１５を構成するブロック形状バネ受け１６の背面に圧接係合している。
【００１７】
ところで、実施形態の圧接手段１５は、前記バネ受け体１６と、このバネ受け体の前面に圧接する復帰バネ１９とから成り、前記バネ受け体１６は、その背面が第２係合カム１１に圧接する一方、前面の略中央部に突起状バネ端支持部１７を有し、一方、前記復帰バネ１９は、前記突起状バネ端支持部１７を受け入れる後端部側の小径圧縮バネ部１９Ｂと、この小径圧縮バネ部に連続する竹の子状圧縮バネ部１９ｂと、この竹の子状圧縮バネ部に連続する先端部側の大径圧縮バネ部１９ｃとから成る。そして、復帰バネ１９の大径圧縮バネ部１９ｃの先端部は、錠本体３の先端部寄りの部位の内部空間に圧入固定或いはネジ止め固定され、かつラッチボルト３５のラッチ軸３６を案内するガイド孔１４ａを有する仕切り板１４の下部に支持されている。したがって、圧接手段１５を構成する復帰バネ１９は、直接又は間接的に（実施形態ではバネ受１６を介し）レバーハンドル２の握り部２ａが水平状態になるように回動カム６を付勢している。なお、特に図示しないが、回動カム６は、中間係合カム１０付近に設けた錠本体側の突起に当接することにより、その回動角度が規制されている。
【００１８】
スライド板２８は上方側壁３ａの内側に水平方向に摺動可能に配置されている。図７で示すように、実施形態のスライド板２８は、長尺状の板体であり、その中間部或いは中間部寄りの部位に長孔２９が形成され、該長孔２９に第１係合カム９が係合可能に挿入されている。一方、段差状に折り曲げ形成された先端部に「く」の字形状の揺動片３３の二本の脚部３３ａ、３３ａが同時に係合する左右一対の切欠部分（掛止溝）３２が形成されている。スライド板２８は、前記長孔２９の後端部分を上方方向に切り起した起立片３０を有し、該起立片３０は、上方側壁３ａの切欠部３１に係合可能であり、図２で示すように、解錠時にスライド板２８の最終的な後退変位を規制可能にしている。前述したように、揺動片３３の二本の脚部３３ａ、３３ａは、スライド板２８の前端部の両側に形成した一対の掛止溝３２に係合可能に挿入されている。
【００１９】
「く」の字形状の揺動片３３の上端部３３ｂは、錠本体３の前部に形成した略Ｖ字形の係止溝或いは開口状の切欠部３４（実施形態）に揺動可能に挿入している。前記脚部３３ａの先端部に、ラッチボルト３５と一体のラッチ軸３６の内端部が係合可能に挿入されている。
【００２０】
前記錠本体３の前端部に、ラッチボルト３５の出入り可能な貫通孔３７が形成され、ラッチボルト３５は、前述した仕切り板１４の上端部側の前面にその後端部が支持されたラッチバネ３８の弾性によって、ラッチボルト３５を前方へ突出可能に付勢している。その他、フロント板やその前板等の細部的事項の説明は割愛する。
【００２１】
さて、ハンドル２と結合するハンドル軸８、回動カム６、スライド板２８、揺動片（シフタ）３３、ラッチボルト３５、ラッチバネ３８、回動カムを初期位置へと戻す圧接手段１５を備えた建具用ドア錠Ｘは、本発明の課題（例えばトイレ等の室内に人が閉じ込められることを防止すること）のため、次のような構成を特定事項としている。
【００２２】
すなわち、建具用ドア錠Ｘは、錠本体３にハンドル軸８と共働するように内装された回動カム６と、その後端部がこの回動カム６に突設した第１係合カム９に係合し、一方、その先端部が揺動片３３を介してラッチボルト３５のラッチ軸３６の内端部３６ａに係合するように錠本体３に内装された長尺状のスライド板２８と、前記回動カム６に突設した第２係合カム１１に圧接する圧接手段１５とを備え、前記ラッチボルト３５を前記錠本体３内に引っ込める際に、前記揺動片３３とラッチボルト３５が係合する力点に掛かる過負荷により該揺動片３３が変形或いは破損する前に、前記圧接手段１５を構成する復帰バネ１９の一部が弾性変形してその復帰力が十分に作用しない一方、前記ハンドル２の自重により、前記ラッチボルト３５は錠本体３に引っ込んだままの状態となる。
【００２３】
そこで、図２は過負荷が復帰バネ１５にかかり、該復帰バネ１５の復帰力が十分に作用しなくなり、このため、ハンドル２の自重でラッチボルト３５が引っ込んだままの状態を示す概略説明図、図６は解錠時における圧接手段１５の説明図（異常時）、そして、図８は揺動板３３が傾倒する際、その支点、力点、作用点を示す概念図である。
【００２４】
ここで、図８の（ａ）と（ｂ）を参照にして、揺動板３３が回転傾倒する際、その支点ａ、力点ｂ、作用点ｃをそれぞれ説明する。図８に於いて、３ａは固定側の部材である上方側壁３ａで、該上方側壁３ａには前方側の切欠部３４が形成されている。この前方側の切欠部３４の右側端面が揺動板３３の上端部３３ｂが当たる支点となる。一方、２８は可動側の部材であるスライド板２８で、該スライド板２８には揺動板３３の脚部３３ａが通り抜ける切欠部分（掛止溝）３２が形成されている。力点ｂは前記切欠部分３２の左端面の下方縁で、この力点ｂに前記脚部３３ａの上端部側が係合する。そして、作用点ｃは、ラッチ軸３６の内端部のフランジ部分３６ａに前記脚部３３ａの下端部側が当接する箇所である。
【００２５】
図８の（ａ）は、ラッチボルト３５が図示しない扉枠側の受け具に係入する施錠時で、施錠時、レバーハンドル２を下方へ操作すると、回動カム６は矢印Ａで示す時計方向に回転する。そうすると、スライド板２８は矢印Ｂ方向へ水平移動する。その際、上述した「支点ａ」と「力点ｂ」と「作用点ｃ」により、揺動板３３は反時計方向に回転揺動し、図８のと（ｂ）の状態となる。
【００２６】
そこで、今仮に、ハンドルの操作力により、圧縮・伸縮を繰返す圧接手段の復帰バネが、例えば金属疲労している場合に、レバーハンドル２を必用以上に下方へ強く押し下げ、回動カム６を介して圧接手段１５に非上に強い力が加わると、圧接手段１５の復帰バネ１９の一部が弾性変形してその復帰力が十分に作用しない一方、レバーハンドル２の自重により、ラッチボルト３５は、図２で示すように錠本体３に引っ込んだままの状態となる。
【００２７】
実施形態では、図６で示すように、圧接手段１５に異常な過負荷が掛かったとき、竹の子状圧縮バネ部１９ｂが大径圧縮バネ部１９ｃ内に押し込まれるように弾性変位する。この時、弾性変位した部分は、正常な状態に復帰しない。
【実施例】
【００２８】
第１実施形態では、圧接手段１５に異常な過負荷が掛かったとき、竹の子状圧縮バネ部１９ｂが大径圧縮バネ部１９ｃ内に押し込まれるように弾性変位するが、「変位」を超えて「破損」するように構成しても良い。
【００２９】
図９及び図１０は圧接手段１５Ａの第２実施形態を示す各説明図である。従来の圧接手段の復帰バネは、許容ネジリ応力内に収まるように、かつ安全性（例えば８０％）を考慮して損傷しないようにするが、この第２実施形態の圧接手段１５Ａでは、許容ネジリ応力を超えた値に設定し、繰り返し圧縮することで、例えばある時点で金属疲労が限界に達すると、バネ自体が損傷するように構成している。また適宜箇所Ｐを削り取る、線状切欠溝を入れる、連続部分を折れやすいように接続する等の工夫により、圧接手段１５Ａに異常な過負荷が掛かったとき、削り取られた箇所、切欠溝等の箇所Ｐが折れるように構成している。
【００３０】
したがって、この第２実施形態は、圧接手段１５Ａを構成する復帰バネ１９Ａの一部が破損してその復帰力が機能しない一方、レバーハンドル２の自重により、ラッチボルト３５は錠本体３に引っ込んだままの状態となる点が第１実施形態と異なる。
【００３１】
付言すると、第２実施形態の復帰バネ１９Ａは、異常な過負荷が掛かったとき、竹の子状圧縮バネ部１９ｂと大径圧縮バネ部１９ｃの連続する部分Ｐ又は竹の子状圧縮バネ部１９ｂと小径圧縮バネ部１９Ｂの連続する部分Ｐのいずれかが折れる。
【００３２】
次に、本願発明が、復帰バネ１９の先端部を支持する仕切り板の構造に着目し、人がトイレ等の室内に閉じ込められることを防止する第３実施形態乃至第５実施形態について説明する。なお、これらの実施形態の説明に当たり、第１実施形態と同一の部分には、同一又は同様の符号を付して重複する説明を割愛する。
【００３３】
図１１乃至図１３は本発明の第３実施形態を示す各説明図である。この第３実施形態が第１実施形態と異なる事項は、（ａ）復帰バネ１９Ｂの形態が、その先端部から後端部に至るまで略同径である点、すなわち、普通一般の形状である点、（ｂ）復帰バネ１９Ｂの先端部を支持するバネ端支持部が、錠本体３に一体成形された、或いは一体的に設けられた仕切り板１４Ａであるものの、該仕切り板１４Ａの復帰バネ１９Ｂの先端部１９ｃが圧接する図面下方の略垂直部分２１は、第１実施形態の仕切り板１４に比べて薄く、その板厚は、圧接手段１５に異常な過負荷が掛かったときに変形或いは割れを誘発するような寸法である点、すなわち、図面で示すように、復帰バネ１９Ｂの先端部１９ｃを支持する仕切り板１４Ａは、ラッチボルト３５を錠本体３内に引っ込める際に、揺動片３３と前記ラッチボルト３５が係合する力点に掛かる過負荷により該揺動片３３が変形或いは破損する前に、仕切り板１４Ａの錠本体３の下方側壁３ｂに連続する肉薄の略垂直部分２１が、ラッチボルト３５或いは錠本体３の先端部方向へ変形又は破損するかのいずれかである点、（ｃ）仕切り板１４Ａは、その前面でラッチボルト３５のラッチ軸３６に巻装されたラッチバネ３８の後端部を支持する図面中央部から上方の肉厚部分（肉厚の略垂直部分）２０と、前記ラッチバネ３８とラッチ軸方向に略一致しないと共に、復帰バネの１９Ｂの先端部１９ｃを後面で支持する図面下方の肉薄部分（肉薄の略垂直部分）２１とを有している点である。
【００３４】
上記のように構成すると、ラッチボルト３５を錠本体３内に引っ込める際に、揺動片３３とラッチボルト３５が係合する力点に掛かる過負荷により該揺動片３３が変形或いは破損する前に、仕切り板１４Ａが変形又は破損するかのいずれかである一方、ハンドル２の自重により、ラッチボルト３５は、第１実施形態の図２と同様に、錠本体３に引っ込んだままの状態となる。
【００３５】
次に図１４乃至図１６は、本発明の第４実施形態を示す各説明図である。この第４実施形態は、前記第３実施形態を前提とするものである。したがって、第３実施形態と同一の部分には同一の符号を付し、重複する説明を割愛する。しかして、この第４実施形態が第３実施形態と異なる事項は、復帰バネの１９Ｂの先端部１９ｃを後面で支持する肉薄部分２１には、仕切り板１４Ａがラッチボルト３５の先端部側に変形又は破損するかのいずれかになるように枠状スリット２２（例えば逆Ｕ字形状の切欠や該切欠に準ずる切欠溝）が形成されている。このように構成すると、異常時、仕切り板１４Ａが容易に変形又は破損する。
【００３６】
最後に図１７及び図１８は、本発明の第５実施形態を示す各説明図である。この第３実施形態が第１実施形態と異なる事項は、仕切り板１４Ｂである。すなわち、仕切り板１４Ｂは、圧接手段１５を構成する復帰バネ１９Ｂの先端部１９ｃを支持する貫通状支持孔（すり鉢透孔）２３を有し、ラッチボルト３５を錠本体３内に引っ込める際に、揺動片３３と前記ラッチボルト３５が係合する力点に掛かる過負荷により該揺動３３片が変形或いは破損する前に、復帰バネ１９Ｂの先端部１９ｃは貫通状支持孔２３のすり鉢形状周縁部分２３ａ、又は図示しない断面段差状周縁部分２３ａのいずれかに圧接しながら該貫通状支持孔２３を通過する一方、ハンドル２の自重により、前記ラッチボルト３５は前記錠本体３に引っ込んだままの状態となる。
【産業上の利用可能性】
【００３７】
本発明は、錠前や建具の分野で利用することができる。
【符号の説明】
【００３８】
１…扉、
２…ハンドル（レバーハンドル）、
３…錠本体、
６…回動カム、
８…ハンドル軸、
９…第１係合カム、
１１…第２係合カム、
１４、１４Ａ、１４Ｂ…仕切り板、
１５、１５Ａ…圧接手段、
１６…バネ受け体、
１７…突起状バネ端支持部、
１９、１９Ａ、１９Ｂ…復帰バネ、
１９Ｂ…小径圧縮バネ部、
１９ｂ…竹の子状圧縮バネ部、
１９ｃ…大径圧縮バネ部（先端部）、
２０…肉厚部分（肉厚の略垂直部分）、
２１…肉薄の略垂直部分、
２２…枠状スリット、
２３…貫通状支持孔（すり鉢透孔）、
２８…スライド板、
３３…揺動片、３３ａ…脚部、
３５…ラッチボルト、３６…ラッチ軸、
３８…ラッチバネ、
ａ…支点、ｂ…力点、ｃ…作用点、
Ｐ…折れる箇所。
【図１】
2015127493.tif 000003
【図２】
2015127493.tif 000004
【図３】
2015127493.tif 000005
【図４】
2015127493.tif 000006
【図５】
2015127493.tif 000007
【図６】
2015127493.tif 000008
【図７】
2015127493.tif 000009
【図８】
2015127493.tif 000010
【図９】
2015127493.tif 000011
【図１０】
2015127493.tif 000012
【図１１】
2015127493.tif 000013
【図１２】
2015127493.tif 000014
【図１３】
2015127493.tif 000015
【図１４】
2015127493.tif 000016
【図１５】
2015127493.tif 000017
【図１６】
2015127493.tif 000018
【図１７】
2015127493.tif 000019
【図１８】
2015127493.tif 000020